(57)【要約】【目的】簡単な構成で、球面収差だけでなく像面湾曲の大きさも調整できるソフトフォーカスレンズ鏡筒を得る。【構成】固定鏡筒；この固定鏡筒に、光軸方向に移動可能に支持されている、第１レンズ群枠、第２レンズ群枠、第３レンズ群枠及び第４レンズ群枠；固定鏡筒に、独立して回転操作可能に支持された距離操作環、ソフト操作環及び像面操作環；距離操作環の回転により、第１レンズ群枠と第２レンズ群枠をその相対位置を変化させることなく光軸方向に移動させて第１レンズ群から第４レンズ群の全レンズ群による合焦位置を変化させるフォーカス用案内機構；ソフト操作環の回転により、第３レンズ群枠と第４レンズ群枠をそれぞれ所定の軌跡で光軸方向に移動させて第１レンズ群から第４レンズ群の全レンズ群による球面収差の大きさを変化させる球面収差用案内機構；及び像面操作環の回転により、第１レンズ群枠のみを光軸方向に移動させて第１レンズ群から第４レンズ群の全レンズ群による像面湾曲を変化させる像面湾曲用案内機構；を有するソフトフォーカスレンズ鏡筒。【選択図】　図１
2004053750.tif 000002
【特許請求の範囲】
【請求項１】
カメラボディに固定される固定鏡筒；
この固定鏡筒に、光軸方向に移動可能に支持されている、第１レンズ群を支持した第１レンズ群枠、第２レンズ群を支持した第２レンズ群枠、第３レンズ群を固定した第３レンズ群枠及び第４レンズ群を固定した第４レンズ群枠；
上記固定鏡筒に、独立して回転操作可能に支持された距離操作環、ソフト操作環及び像面操作環；
上記距離操作環の回転により、第１レンズ群枠と第２レンズ群枠をその相対位置を変化させることなく光軸方向に移動させて第１レンズ群から第４レンズ群の全レンズ群による合焦位置を変化させるフォーカス用案内機構；
上記ソフト操作環の回転により、第３レンズ群枠と第４レンズ群枠をそれぞれ所定の軌跡で光軸方向に移動させて第１レンズ群から第４レンズ群の全レンズ群による球面収差の大きさを変化させる球面収差用案内機構；及び
上記像面操作環の回転により、第１レンズ群枠のみを光軸方向に移動させて第１レンズ群から第４レンズ群の全レンズ群による像面湾曲を変化させる像面湾曲用案内機構；
を有することを特徴とするソフトフォーカスレンズ鏡筒。
【請求項２】
請求項１記載のソフトフォーカスレンズ鏡筒において、上記第２、第３、第４レンズ群枠はそれぞれ、光軸方向の直進移動が可能で光軸回りの回転を規制して支持されており、第１レンズ群枠は、この第２レンズ群枠に対して回動及び光軸方向移動を可能に支持されているソフトフォーカスレンズ鏡筒。
【請求項３】
請求項２記載のソフトフォーカスレンズ鏡筒において、第１レンズ群枠と像面操作環とは、光軸方向の相対移動は可能に、回転方向には連れ回りするように結合されており、第１レンズ群枠と第２レンズ群枠との間には、両枠に相対回転が生じたとき該両枠に光軸方向の相対移動を生じさせるカム機構が備えられているソフトフォーカスレンズ鏡筒。
【請求項４】
請求項３記載のソフトフォーカスレンズ鏡筒において、距離操作環と第２レンズ群枠は、該距離操作環の回転により第２レンズ群枠が光軸方向に直進移動するように連動しており、第１レンズ群枠は、像面操作環が回転しない限り、この第２レンズ群枠と一緒に光軸方向に移動するように第２レンズ群枠に係合しているソフトフォーカスレンズ鏡筒。
【請求項５】
カメラボディに固定される固定鏡筒；
この固定鏡筒に、光軸方向に移動可能に支持されている、第１レンズ群を支持した第１レンズ群枠、第２レンズ群を支持した第２レンズ群枠、第３レンズ群を固定した第３レンズ群枠及び第４レンズ群を固定した第４レンズ群枠；
上記固定鏡筒に、独立して回転操作可能に支持された距離操作環、ソフト操作環及び像面操作環；
上記距離操作環の回転により、第１レンズ群枠と第２レンズ群枠をその相対位置を変化させることなく光軸方向に移動させて第１レンズ群から第４レンズ群の全レンズ群による合焦位置を変化させるフォーカス用案内機構；
上記ソフト操作環の回転により、第３レンズ群枠と第４レンズ群枠をそれぞれ所定の軌跡で光軸方向に移動させて第１レンズ群から第４レンズ群の全レンズ群による球面収差の大きさを変化させる球面収差用案内機構；及び
上記像面操作環の回転により、第１レンズ群枠と第２レンズ群枠をそれぞれ所定の軌跡で光軸方向に移動させて第１レンズ群から第４レンズ群の全レンズ群による像面湾曲を変化させる像面湾曲用案内機構；
を有することを特徴とするソフトフォーカスレンズ鏡筒。
【請求項６】
請求項５記載のソフトフォーカスレンズ鏡筒において、上記フォーカス用案内機構は、距離操作環の回動によって光軸方向に直進移動するフォーカス移動枠を備えており、第１レンズ群枠はこのフォーカス移動枠に対して相対移動可能に支持され、第２レンズ群枠はこの第１レンズ群枠に光軸方向の直進移動のみ可能に支持されていて、フォーカス移動枠に対する第１レンズ群枠の相対回転が生じない状態では、第１レンズ群枠と第２レンズ群枠がフォーカス移動枠と一緒に光軸方向に移動するソフトフォーカスレンズ鏡筒。
【請求項７】
請求項６記載のソフトフォーカスレンズ鏡筒において、第１レンズ群枠と像面操作環とは、光軸方向の相対移動は可能に、回転方向には連れ回りするように結合されており、この第１レンズ群枠とフォーカス移動枠の間及び第２レンズ群とフォーカス移動枠との間にはそれぞれ、両枠に相対回転が生じたとき該両枠に光軸方向の相対移動を生じさせるカム機構が備えられているソフトフォーカスレンズ鏡筒。
【発明の詳細な説明】
【０００１】
【技術分野】
本発明は、ソフトフォーカスレンズ鏡筒に関する。
【０００２】
【従来技術及びその問題点】
従来、球面収差の大きさを変化させることでソフトフォーカス効果を可変としたソフトフォーカスレンズ鏡筒が知られている。しかし、プロ写真家やハイアマチュアでは、像面湾曲によるデフォルメを強調したいという要求がある。
【０００３】
【発明の目的】
本発明は、簡単な構成で、球面収差だけでなく像面湾曲の大きさも調整できるソフトフォーカスレンズ鏡筒を得ることを目的とする。
【０００４】
【発明の概要】
本発明のソフトフォーカスレンズ鏡筒は、カメラボディに固定される固定鏡筒；この固定鏡筒に、光軸方向に移動可能に支持されている、第１レンズ群を支持した第１レンズ群枠、第２レンズ群を支持した第２レンズ群枠、第３レンズ群を固定した第３レンズ群枠及び第４レンズ群を固定した第４レンズ群枠；固定鏡筒に、独立して回転操作可能に支持された距離操作環、ソフト操作環及び像面操作環；距離操作環の回転により、第１レンズ群枠と第２レンズ群枠をその相対位置を変化させることなく光軸方向に移動させて第１レンズ群から第４レンズ群の全レンズ群による合焦位置を変化させるフォーカス用案内機構；ソフト操作環の回転により、第３レンズ群枠と第４レンズ群枠をそれぞれ所定の軌跡で光軸方向に移動させて第１レンズ群から第４レンズ群の全レンズ群による球面収差の大きさを変化させる球面収差用案内機構；及び、像面操作環の回転により、第１レンズ群枠のみを光軸方向に移動させて第１レンズ群から第４レンズ群の全レンズ群による像面湾曲を変化させる像面湾曲用案内機構；を有することを特徴としている。
【０００５】
このソフトフォーカスレンズ鏡筒では、第２、第３、第４レンズ群枠はそれぞれ、光軸方向の直進移動が可能で光軸回りの回転を規制して支持されており、第１レンズ群枠は、この第２レンズ群枠に対して回動及び光軸方向移動を可能に支持するとよい。そして、第１レンズ群枠と像面操作環は、光軸方向の相対移動は可能に、回転方向には連れ回りするように結合され、第１レンズ群枠と第２レンズ群枠との間に、両枠に相対回転が生じたとき該両枠に光軸方向の相対移動を生じさせるカム機構を備えることで、上記の像面湾曲用案内機構として機能させることができる。また、距離操作環と第２レンズ群枠を、該距離操作環の回転により第２レンズ群枠が光軸方向に直進移動するように連動させ、第１レンズ群枠と第２レンズ群枠を、像面操作環が回転しない限り一緒に光軸方向に移動するように係合させることにより、上記のフォーカス用案内機構の機能として機能させることができる。
【０００６】
本発明のソフトフォーカスレンズ鏡筒はまた、カメラボディに固定される固定鏡筒；この固定鏡筒に、光軸方向に移動可能に支持されている、第１レンズ群を支持した第１レンズ群枠、第２レンズ群を支持した第２レンズ群枠、第３レンズ群を固定した第３レンズ群枠及び第４レンズ群を固定した第４レンズ群枠；固定鏡筒に、独立して回転操作可能に支持された距離操作環、ソフト操作環及び像面操作環；距離操作環の回転により、第１レンズ群枠と第２レンズ群枠をその相対位置を変化させることなく光軸方向に移動させて第１レンズ群から第４レンズ群の全レンズ群による合焦位置を変化させるフォーカス用案内機構；ソフト操作環の回転により、第３レンズ群枠と第４レンズ群枠をそれぞれ所定の軌跡で光軸方向に移動させて第１レンズ群から第４レンズ群の全レンズ群による球面収差の大きさを変化させる球面収差用案内機構；及び、像面操作環の回転により、第１レンズ群枠と第２レンズ群枠をそれぞれ所定の軌跡で光軸方向に移動させて第１レンズ群から第４レンズ群の全レンズ群による像面湾曲を変化させる像面湾曲用案内機構；を有することを特徴としている。
【０００７】
このソフトフォーカスレンズ鏡筒では、フォーカス用案内機構は、距離操作環の回動によって光軸方向に直進移動するフォーカス移動枠を備えており、第１レンズ群枠はこのフォーカス移動枠に対して相対移動可能に支持され、第２レンズ群枠はこの第１レンズ群枠に光軸方向の直進移動のみ可能に支持されていて、フォーカス移動枠に対する第１レンズ群枠の相対回転が生じない状態では、第１レンズ群枠と第２レンズ群枠がフォーカス移動枠と一緒に光軸方向に移動するように構成するとよい。一方、第１レンズ群枠と像面操作環とは、光軸方向の相対移動は可能に、回転方向には連れ回りするように結合されており、この第１レンズ群枠とフォーカス移動枠の間及び第２レンズ群とフォーカス移動枠との間にそれぞれ、両枠に相対回転が生じたとき該両枠に光軸方向の相対移動を生じさせるカム機構を備えると、上記の像面湾曲用案内機構として機能させることができる。
【０００８】
【発明の実施形態】
図１は、本発明によるソフトフォーカスレンズ鏡筒の第一の実施形態を示している。カメラボディに固定される固定鏡筒１０は、マウント環１１、このマウント環１１に固定された外側環１２と内側環１３からなっている。固定鏡筒１０には、その先端側から順に、外側環１２と内側環１３の間に位置する距離操作環２０、外側環１２の外周面に位置する像面操作環３０、ソフト操作環４０がそれぞれ回転可能に支持されている。
【０００９】
内側環１３内には、物体側から順に、正のパワーの第１レンズ群Ｌ１、負のパワーの第２レンズ群Ｌ２、正のパワーの第３レンズ群Ｌ３及び負のパワーの第４レンズ群Ｌ４が位置している。これらの各レンズ群Ｌ１、Ｌ２、Ｌ３及びＬ４はそれぞれ第１レンズ群枠１４、第２レンズ群枠１５、第３レンズ群枠１６及び第４レンズ群枠１７に固定されている。
【００１０】
距離操作環２０は、内側環１３の外周面に回動自在に支持したリード環２１と常時等しい回動をするように結合されている、このリード環２１には、光軸方向成分と円周方向成分を有するリード溝（直線溝）２１ａが形成されており、このリード溝２１ａに、第２レンズ群枠１５の外周面に立てたフォロアピン１５ａが嵌まっている。フォロアピン１５ａはまた、内側環１３に形成した光軸と平行な方向の直進案内溝１３ａに嵌まっており、リード環２１（距離操作環２０）が回転すると、第２レンズ群枠１５（第２レンズ群Ｌ２）が光軸方向に直進移動する。
【００１１】
第１レンズ群Ｌ１を支持した第１レンズ群枠１４は第２レンズ群枠１５の内側に相対移動可能に嵌まっており、この第１レンズ群枠１４と第２レンズ群枠１５の間には、両枠に相対回転が生じたとき、両枠に光軸方向の相対移動を生じさせるカム機構３１が形成されている。第１レンズ群枠１４の後端面には、像面駆動板３２が固定されており、この像面駆動板３２は後方に延びて、像面操作環３０の内面に固定した像面駆動コマ３３と光軸方向の相対移動は自在に、回転方向には連れ回りするように結合されている。像面操作環３０にはクリック機構３４が設けられている。
【００１２】
ソフト操作環４０は、径方向ピン４１によって、内側環１３の内周面に回転自在に支持されたカム環４２と常時一緒に回動するように結合されている。第３レンズ群Ｌ３を支持した第３レンズ群枠１６と第４レンズ群Ｌ４を支持した第４レンズ群枠１７の外周面にはそれぞれ、このカム環４２のカム溝４２ａ、４２ｂに嵌まるフォロアピン１６ａ、１７ａが立てられており、フォロアピン１６ａ、フォロアピン１７ａは同時に、内側環１３に形成した光軸と平行な方向の直進案内溝１３ｂに嵌まっている。ソフト操作環４０にはクリック機構４３が設けられている。
【００１３】
以上のソフトフォーカスレンズ鏡筒において、フォーカシングは、第１レンズ群Ｌ１と第２レンズ群Ｌ２を光軸方向に一体に移動させることで行い、ソフトフォーカス効果（球面収差の大きさ変化）は、第３レンズ群Ｌ３と第４レンズ群Ｌ４をそれぞれ所定の軌跡で光軸方向に移動させることで実現し、像面湾曲効果は、第１レンズ群Ｌ１のみを光軸方向に移動させることで実現する。具体的には、フォーカス用案内機構は、距離操作環２０により回動されるリード環２１（リード溝２１ａ）と、第２レンズ群枠１５（フォロアピン１５ａ）と、該第２レンズ群枠１５を直進案内する内側環１３（直進案内溝１３ａ）と、第２レンズ群枠１５と第１レンズ群枠１４の間に設けた光軸方向の動力伝達手段（カム機構３１）等によって構成されている。また、球面収差用（ソフト効果用）案内機構は、ソフト操作環４０の径方向ピン４１と、該径方向ピン４１を介して回動されるカム環４２（カム溝４２ａ、４２ｂ）と、第３、第４レンズ群枠１６、１７（フォロアピン１６ａ、１７ａ）と、該第３、第４レンズ群枠１６、１７を直進案内する内側環１３（直進案内溝１３ｂ）等によって構成されている。また、像面湾曲用案内機構は、像面操作環３０に設けた像面駆動コマ３３と、該像面駆動コマ３３と連れ回りする像面駆動板３２と、第１レンズ群枠１４と第２レンズ群枠１５及びその間に設けたカム機構３１等によって構成されている。
【００１４】
上記構成の本ソフトフォーカスレンズ鏡筒の動作は次の通りである。フォーカシングは、距離操作環２０の回転により行う。距離操作環２０は、内側のリード環２１を一体に回動させ、該リード環２１に形成したリード溝２１ａとフォロアピン１５ａの関係によって、内側環１３（直進案内溝１３ａ）を介して直進案内された第２レンズ群枠１５を光軸方向に移動させる。第１レンズ群枠１４は、像面操作環３０を回動させないときには、像面駆動板３２と像面駆動コマ３３の係合関係によって、いわば光軸方向に直進案内された状態となっている。また、第１レンズ群枠１４と第２レンズ群枠１５の間に設けたカム機構３１は、両レンズ枠に相対回転を与えない限りにおいては、両レンズ枠間で光軸方向への移動力を伝達する。従って、第２レンズ群枠１５の移動に応じて第１レンズ群枠１４も光軸方向に移動し、両レンズ枠１４、１５が保持する第１レンズ群Ｌ１と第２レンズ群Ｌ２が相対間隔を変えずに一体移動する。これによってフォーカシングが行われる。
【００１５】
ソフト効果は、ソフト操作環４０の操作によって得られる。ソフト操作環４０が回転すると、径方向ピン４１からカム環４２に回転力が伝わる。すると、該カム環４２に形成したカム溝４２ａ、４２ｂとフォロアピン１６ａ、１７ａの関係により、内側環１３（直進案内溝１３ｂ）を介して直進案内された第３レンズ群枠１６と第４レンズ群枠１７が、それぞれ所定の軌跡で光軸方向に相対移動する。この第３レンズ群Ｌ３と第４レンズ群Ｌ４の移動により球面収差の大きさが変化し、ソフトフォーカス効果を得ることができる。
【００１６】
像面湾曲効果は、像面操作環３０の操作によって得られる。像面操作環３０が回転すると、像面駆動コマ３３と像面駆動板３２も一体に回動する。像面駆動板３２の前端部は第１レンズ群枠１４に固定されているため、その回動力は第１レンズ群枠１４に伝達される。ここで、前述のフォーカシング時には第１レンズ群枠１４と第２レンズ群枠１５を一体に移動させたカム機構３１は、両レンズ群枠１４、１５の相対回転時には光軸方向への相対移動を生じさせるようになっている。そのため、内側環１３（直進案内溝１３ａ）を介して常時直進案内されている第２レンズ群枠１５に対して第１レンズ群枠１４が回転すると、カム機構３１によって、第２レンズ群枠１５に対する第１レンズ群枠１４の光軸方向の相対移動が生じ、第１レンズ群Ｌ１のみが回転しながら光軸方向に移動する。この第１レンズ群Ｌ１の移動によって像面湾曲効果を得ることができる。
【００１７】
図２は、本発明によるソフトフォーカスレンズ鏡筒の第二の実施形態を示している。図２において図１と同様の部材については同符号を付しており、共通する部分の説明は省略する。この第二実施形態では、フォーカス移動枠５０を設けた点が上記第一実施形態と異なっている。フォーカス移動枠５０の外周面には、リード環２１のリード溝２１ａに嵌まるフォロアピン５０ａが立てられており、フォロアピン５０ａはまた、内側環１３に形成した光軸と平行な方向の直進案内溝１３ａに嵌まっている。よって、リード環２１（距離操作環２０）が回転すると、フォーカス移動枠５０が光軸方向に直進移動する。
【００１８】
フォーカス移動枠５０と第１レンズ群枠１４’の間には、両枠に相対回転が生じたとき、両枠に光軸方向の相対移動を生じさせるカム機構５１が形成されている。第一実施形態と同様に、第１レンズ群枠１４’の後端面には像面駆動板３２が固定されており、該像面駆動板３２を介して、像面操作環３０の回転力を第１レンズ群枠１４’に伝達することができる。また、フォーカス移動枠５０の内周面には、光軸と平行な方向の直進案内溝５０ｂが形成され、該直進案内溝５０ｂに対して、第２レンズ群枠１５’の外周面に立てたフォロアピン１５ａ’が嵌まっている。フォロアピン１５ａ’は、第１レンズ群枠１４’に形成した貫通カムスロット１４ａ’にも嵌まっている。よって、第１レンズ群枠１４’が回転したとき、直進案内溝５０ｂによって光軸方向に直進案内された第２レンズ群枠１５’は、貫通カムスロット１４ａ’とフォロアピン１５ａ’の関係によって、第１レンズ群枠１４’に対して光軸方向に相対移動する。
【００１９】
以上の第二実施形態のソフトフォーカスレンズ鏡筒は、第一実施形態と同じく、フォーカシングは、第１レンズ群Ｌ１と第２レンズ群Ｌ２を光軸方向に一体に移動させることで行い、ソフトフォーカス効果（球面収差の大きさ変化）は、第３レンズ群Ｌ３と第４レンズ群Ｌ４をそれぞれ所定の軌跡で光軸方向に移動させることで実現する。像面湾曲効果のみが第一実施形態とは異なり、第１レンズ群Ｌ１と第２レンズ群Ｌ２の２つを光軸方向に所定の軌跡で移動させて行う。フォーカス用案内機構は、距離操作環２０により回動されるリード環２１（リード溝２１ａ）と、フォーカス移動枠５０と、第１レンズ群枠１４’と、該レンズ群枠１４’とフォーカス移動枠５０との間に設けた光軸方向の動力伝達手段（カム機構５１）と、該レンズ群枠１４’と第２レンズ群枠１５’との間に設けた光軸方向の動力伝達手段（貫通カムスロット１４ａ’、フォロアピン１５ａ’）等によって構成されている。また、像面湾曲用案内機構は、像面操作環３０に設けた像面駆動コマ３３と、該像面駆動コマ３３と連れ回りする像面駆動板３２と、第１レンズ群枠１４’と、該第１レンズ群枠１４’とフォーカス移動枠５０との間に設けたカム機構５１と、第２レンズ群枠１５’と、該第２レンズ群枠１５’と第１レンズ群枠１４’の間に設けたカム機構（フォロアピン１５ａ’と貫通カムスロット１４ａ’）と、第２レンズ群枠１５’を直進案内する直進案内溝５０ｂ等によって構成されている。なお、球面収差用（ソフト効果用）案内機構は、第一の実施形態と同様に、ソフト操作環４０の径方向ピン４１と、該径方向ピン４１を介して回動されるカム環４２（カム溝４２ａ、４２ｂ）と、第３、第４レンズ群枠１６、１７（フォロアピン１６ａ、１７ａ）と、該第３、第４レンズ群枠１６、１７を直進案内する内側環１３（直進案内溝１３ｂ）等によって構成されている。
【００２０】
上記構成の図２のソフトフォーカスレンズ鏡筒の動作は次の通りである。フォーカシングは、距離操作環２０の回転により行う。距離操作環２０は、内側のリード環２１を一体に回動させ、該リード環２１に形成したリード溝２１ａとフォロアピン５０ａの関係によって、内側環１３（直進案内溝１３ａ）を介して直進案内されたフォーカス移動枠５０を光軸方向に移動させる。フォーカス移動枠５０の光軸方向移動時には、カム機構５１は、第１レンズ群枠１４’を該フォーカス移動枠５０と光軸方向に一体に移動させるように作用する。同時に、第１レンズ群枠１４’と第２レンズ群枠１５’の間に設けたカム機構（貫通カムスロット１４ａ’とフォロアピン１５ａ’）は、フォーカス移動枠５０の直進案内溝５０ｂを介して直進案内された第２レンズ群枠１５’を、第１レンズ群枠１４’と一体に光軸方向に移動させるように作用する。つまり、距離操作環２０が回転したときには、フォーカス移動枠５０と共に、第１レンズ群枠１４’と第２レンズ群枠１５’が相対間隔を変えずに光軸方向に一体移動し、フォーカシングが行われる。
【００２１】
ソフト効果は、ソフト操作環４０の操作によって得られる。このソフト効果を得るための球面収差用案内機構は、第一の実施形態と同じであり、ソフト操作環４０の回転に応じて第３レンズ群Ｌ３と第４レンズ群Ｌ４がそれぞれ所定の軌跡で移動して、球面収差の大きさが変化する。
【００２２】
像面湾曲効果は、像面操作環３０の操作によって得られる。像面操作環３０が回転すると、像面駆動コマ３３と像面駆動板３２も一体に回動する。像面駆動板３２の前端部は第１レンズ群枠１４’に固定されているため、その回動力は第１レンズ群枠１４’に伝達される。すると、フォーカス移動枠５０との間に設けたカム機構５１によって、第１レンズ群枠１４’は回転しながら光軸方向に移動する。また、第１レンズ群枠１４’の回転力は、フォロアピン１５ａ’と貫通カムスロット１４ａ’の係合部分に及び、該フォロアピン１５ａ’を有し直進案内溝５０ｂにより直進案内された第２レンズ群枠１５’が、第１レンズ群枠１４’に対して光軸方向に相対移動する。つまり、第１レンズ群Ｌ１と第２レンズ群Ｌ２がそれぞれ異なる軌跡で光軸方向に移動し、これにより像面湾曲効果を得ることができる。
【００２３】
【発明の効果】
以上のように本発明によれば、簡単な構成で、球面収差だけでなく像面湾曲の大きさも調整できるソフトフォーカスレンズ鏡筒を得ることができる。
【図面の簡単な説明】
【図１】本発明によるソフトフォーカスレンズ鏡筒の第一の実施形態を示す縦断面図である。
【図２】本発明によるソフトフォーカスレンズ鏡筒の第二の実施形態を示す縦断面図である。
【符号の説明】
１０　固定鏡筒
１１　マウント環
１２　外側環
１３　内側環
１３ａ　１３ｂ　直進案内溝
１４　１４’　第１レンズ群枠
１４ａ’　貫通カムスロット
１５　１５’　第２レンズ群枠
１５ａ　１５ａ’　フォロアピン
１６　第３レンズ群枠
１６ａ　フォロアピン
１７　第４レンズ群枠
１７ａ　フォロアピン
２０　距離操作環
２１　リード環
２１ａ　リード溝（直線溝）
３０　像面操作環
３１　カム機構
３２　像面駆動板
３３　像面駆動コマ
３４　クリック機構
４０　ソフト操作環
４１　径方向ピン
４２　カム環
４２ａ　４２ｂ　カム溝
４３　クリック機構
５０　フォーカス移動枠
５０ａ　フォロアピン
５０ｂ　直進案内溝
５１　カム機構
Ｌ１　第１レンズ群
Ｌ２　第２レンズ群
Ｌ３　第３レンズ群
Ｌ４　第４レンズ群
【図１】
2004053750.tif 000003
【図２】
2004053750.tif 000004